(57)【特許請求の範囲】
【請求項１】
広角レンズであって、物体側から像側へ順次に、
像側の面が凹面であり、負の屈折力を有する第１レンズと、
正の屈折力を有する第２レンズと、
物体側の面が凸面であり、像側の面が凸面であり、正の屈折力を有する第３レンズと、
負の屈折力を有する第４レンズと、
像側の面が凸面であり、正の屈折力を有する第５レンズと、
像側の面の軸に近い部分が凹面であり、負の屈折力を有する第６レンズと、から構成され、
前記広角レンズは、１．０≦ｆ２／ｆ≦２．０及び０．５≦ｆ１／ｆ４≦１．５という条件式を満たし、
前記広角レンズは、ＴＴＬ／ＩｍｇＨ＜２．４という条件式を満たし、
ただし、ｆ１は前記第１レンズの有効焦点距離であり、ｆ２は前記第２レンズの有効焦点距離であり、ｆ４は前記第４レンズの有効焦点距離であり、ｆは前記広角レンズの有効焦点距離であり、ＴＴＬは前記第１レンズの物体側の面から結像面までの軸上距離であり、ＩｍｇＨは、最大像高である、
ことを特徴とする広角レンズ。
【請求項２】
前記広角レンズは、−１．６≦ｆ２／ｆ６＜−０．７という条件式を満たし、
ただし、ｆ２は前記第２レンズの有効焦点距離であり、ｆ６は前記第６レンズの有効焦点距離である、
ことを特徴とする請求項１に記載の広角レンズ。
【請求項３】
前記広角レンズは、０．８＜Ｄｒ５ｒ８／ＣＴ５＜１．５という条件式を満たし、
ただし、Ｄｒ５ｒ８は前記第３レンズの物体側の面から前記第４レンズの像側の面までの軸上距離であり、ＣＴ５は前記第５レンズの中心の厚みである、
ことを特徴とする請求項１に記載の広角レンズ。
【請求項４】
前記広角レンズは、０．５＜ＤＴ１１／ＤＴ６２＜０．９という条件式を満たし、
ただし、ＤＴ１１は前記第１レンズの物体側の面の最大有効半径であり、ＤＴ６２は前記第６レンズの像側の面の最大有効半径である、
ことを特徴とする請求項１に記載の広角レンズ。
【請求項５】
前記広角レンズは、０＜ＣＴ６／ＣＴ５≦０．６という条件式を満たし、
ただし、ＣＴ５は前記第５レンズの中心の厚みであり、ＣＴ６は前記第６レンズの中心の厚みである、
ことを特徴とする請求項１に記載の広角レンズ。
【請求項６】
前記広角レンズは、−３＜ｆ４／ｆ＜−１という条件式を満たし、
ただし、ｆ４は前記第４レンズの有効焦点距離であり、ｆは前記広角レンズの有効焦点距離である、
ことを特徴とする請求項１に記載の広角レンズ。
【請求項７】
前記広角レンズは、０．８≦ｆ５／ｆ＜１．５という条件式を満たし、
ただし、ｆ５は前記第５レンズの有効焦点距離であり、ｆは前記広角レンズの有効焦点距離である、
ことを特徴とする請求項１に記載の広角レンズ。
【請求項８】
前記広角レンズは、０＜（Ｒ５＋Ｒ６）／（Ｒ５−Ｒ６）＜１という条件式を満たし、
ただし、Ｒ５は前記第３レンズの物体側の面の曲率半径であり、Ｒ６は前記第３レンズの像側の面の曲率半径である、
ことを特徴とする請求項１に記載の広角レンズ。
【請求項９】
前記第２レンズの像側の面は凸面であり、前記広角レンズは、０＜Ｔ２３／ＣＴ２＜０．１という条件式を満たし、
ただし、ＣＴ２は前記第２レンズの中心の厚みであり、Ｔ２３は前記第２レンズと前記第３レンズとの間の軸上距離である、
ことを特徴とする請求項１に記載の広角レンズ。
【請求項１０】
前記第６レンズの物体側の面は凹面であり、前記広角レンズは、-０．８＜ＳＡＧ６１／ＤＴ６１＜−０．４という条件式を満たし、
ただし、ＳＡＧ６１は前記第６レンズの物体側の面のサジタルハイトであり、ＤＴ６１は前記第６レンズの物体側の面の最大有効半径である、
ことを特徴とする請求項９に記載の広角レンズ。
【請求項１１】
前記第２レンズの像側の面は凹面であり、前記広角レンズは、０．５＜Ｒ３／Ｒ４＜１．０という条件式を満たし、
ただし、Ｒ３は前記第２レンズの物体側の面の曲率半径であり、Ｒ４は前記第２レンズの像側の面の曲率半径である、
ことを特徴とする請求項１に記載の広角レンズ。
【請求項１２】
前記広角レンズは、−０．５＜（Ｒ１０＋Ｒ１１）／（Ｒ１０−Ｒ１１）＜０という条件式を満たし、
ただし、Ｒ１０は前記第５レンズの像側の面の曲率半径であり、Ｒ１１は前記第６レンズの物体側の面の曲率半径である、
ことを特徴とする請求項１１に記載の広角レンズ。
【発明の詳細な説明】
【優先権情報】
【０００１】
本出願は、２０１６年８月８日に中国国家知識産権局に提出された特許出願番号が２０１６１０６４３６００．９である特許出願の優先権及び権益を主張するものであり、当該中国特許出願の全内容は参照により本明細書に組み入れられる。
【技術分野】
【０００２】
本発明は、光学結像技術に関し、特に広角レンズに関する。
【背景技術】
【０００３】
現在、光学結像系の感光性素子は、電荷結合装置（ｃｈａｒｇｅ-ｃｏｕｐｌｅｄ ｄｅｖｉｃｅ, ＣＣＤ）又は相補型金属酸化膜半導体素子（ｃｏｍｐｌｅｍｅｎｔａｒｙ ｍｅｔａｌ-ｏｘｉｄｅ ｓｅｍｉｃｏｎｄｕｃｔｏｒ, ＣＭＯＳ）イメージセンサを含む。  半導体プロセス技術の発展に伴い、感光性素子の画素サイズがますます小さくなり、これに応じて、結像レンズも比較的小さいサイズ及び比較的高い結像品質を有することが必要となる。
【０００４】
同時に、結像レンズの適用分野がますます広くなるにつれて、撮影範囲に対する需要もますます広くなる。そのため、広画角という要求を満たすために、一般的には、レンズの枚数を増やすことを採用し、例えば、出願番号がＵＳ２０１３１３７８３３８５である特許では、大きな画角を実現するために、六枚型の結像レンズが提案されたが、レンズの小型化及び軽量化という要求を満たすことができないと同時に、結像の品質をも考慮するため、画角の更なる増大が制限されて、９０度以上に達することができない。
【発明の概要】
【発明が解決しようとする課題】
【０００５】
本発明の目的は、従来技術における少なくとも一つの技術的課題を解決することである。そのため、本発明は広角レンズを提供する必要がある。
【課題を解決するための手段】
【０００６】
本発明の実施形態における広角レンズは、物体側から像側へ順次に、
像側の面が凹面であり、負の屈折力を有する第１レンズと、
正の屈折力を有する第２レンズと、
物体側の面が凸面であり、像側の面が凸面であり、正の屈折力を有する第３レンズと、
負の屈折力を有する第４レンズと、
像側の面が凸面であり、正の屈折力を有する第５レンズと、
像側の面の軸に近い部分が凹面であり、負の屈折力を有する第６レンズと、から構成され、
前記広角レンズは、
１．０≦ｆ２／ｆ≦２．０及び
０．５≦ｆ１／ｆ４≦１．５という条件式を満たし、
前記広角レンズは、ＴＴＬ／ＩｍｇＨ＜２．４という条件式を満たし、
ただし、ｆ１は前記第１レンズの有効焦点距離であり、ｆ２は前記第２レンズの有効焦点距離であり、ｆ４は前記第４レンズの有効焦点距離であり、ｆは前記広角レンズの有効焦点距離であり、ＴＴＬは前記第１レンズの物体側の面から結像面までの軸上距離であり、ＩｍｇＨは、結像面における有効画素領域の対角線の長さの半分である。
【０００７】
一部の実施形態において、前記広角レンズは、
−１．６≦ｆ２／ｆ６＜−０．７という条件式を満たし、
ただし、ｆ２は前記第２レンズの有効焦点距離であり、ｆ６は前記第６レンズの有効焦点距離である。
【０００８】
一部の実施形態において、前記広角レンズは、
０．８＜Ｄｒ５ｒ８／ＣＴ５＜１．５という条件式を満たし、
ただし、Ｄｒ５ｒ８は前記第３レンズの物体側の面から前記第４レンズの像側の面までの軸上距離であり、ＣＴ５は前記第５レンズの中心の厚みである。
【０００９】
一部の実施形態において、前記広角レンズは、
０．５＜ＤＴ１１／ＤＴ６２＜０．９という条件式を満たし、
ただし、ＤＴ１１は前記第１レンズの物体側の面の最大有効半径であり、ＤＴ６２は前記第６レンズの像側の面の最大有効半径である。
【００１０】
一部の実施形態において、前記広角レンズは、
０＜ＣＴ６／ＣＴ５≦０．６という条件式を満たし、
ただし、ＣＴ５は前記第５レンズの中心の厚みであり、ＣＴ６は前記第６レンズの中心の厚みである。
【００１１】
一部の実施形態において、前記広角レンズは、
−３＜ｆ４／ｆ＜−１という条件式を満たし、
ただし、ｆ４は前記第４レンズの有効焦点距離であり、ｆは前記広角レンズの有効焦点距離である。
【００１２】
一部の実施形態において、前記広角レンズは、
０．８≦ｆ５／ｆ＜１．５という条件式を満たし、
ただし、ｆ５は前記第５レンズの有効焦点距離であり、ｆは前記広角レンズの有効焦点距離である。
【００１３】
一部の実施形態において、前記広角レンズは、
０＜（Ｒ５＋Ｒ６）／（Ｒ５−Ｒ６）＜１という条件式を満たし、
ただし、Ｒ５は前記第３レンズの物体側の面の曲率半径であり、Ｒ６は前記第３レンズの像側の面の曲率半径である。
【００１４】
一部の実施形態において、前記広角レンズは、
ＴＴＬ／ＩｍｇＨ＜２．４という条件式を満たし、
ただし、ＴＴＬは前記第１レンズの物体側の面から結像面までの軸上距離であり、ＩｍｇＨは、最大像高である。
【００１５】
一部の実施形態において、前記第２レンズの像側の面は凸面であり、前記広角レンズは、
０＜Ｔ２３／ＣＴ２＜０．１という条件式を満たし、
ただし、ＣＴ２は前記第２レンズの中心の厚みであり、Ｔ２３は前記第２レンズと前記第３レンズとの間の軸上距離である。
【００１６】
一部の実施形態において、前記第６レンズの物体側の面は凹面であり、前記広角レンズは、
−０．８＜ＳＡＧ６１／ＤＴ６１＜−０．４という条件式を満たし、
ただし、ＳＡＧ６１は前記第６レンズの物体側の面のサジタルハイトであり、ＤＴ６１は前記第６レンズの物体側の面の最大有効半径である。
【００１７】
一部の実施形態において、前記第２レンズの像側の面は凹面であり、前記広角レンズは、
０．５＜Ｒ３／Ｒ４＜１．０という条件式を満たし、
ただし、Ｒ３は前記第２レンズの物体側の面の曲率半径であり、Ｒ４は前記第２レンズの像側の面の曲率半径である。
【００１８】
一部の実施形態において、前記広角レンズは、
−０．５＜（Ｒ１０＋Ｒ１１）／（Ｒ１０−Ｒ１１）＜０という条件式を満たし、
ただし、Ｒ１０は前記第５レンズの像側の面の曲率半径であり、Ｒ１１は前記第６レンズの物体側の面の曲率半径である。
【００１９】
本発明の実施形態における広角レンズは、超広角であり、解像度が高く、サイズが小さいという利点を有し、それに、組立プロセスを向上させ、低コストを実現することができる。
【００２０】
本発明の付加的な特徴及び利点は、一部が以下の説明に示され、一部が以下の説明により明らかになる、又は本発明の実践により理解される。
【図面の簡単な説明】
【００２１】
本発明の上記及び／又は付加的な特徴と利点は、以下の図面に合わせて実施形態を説明することにより、明らかになり、容易に理解されるようになる。そのうち、
【図１】実施例１の広角レンズの概略図である。
【図２】実施例１の広角レンズの軸上色収差図（ｍｍ）である。
【図３】実施例１の広角レンズの非点収差図（ｍｍ） である。
【図４】実施例１の広角レンズの倍率色収差図（μｍ）である。
【図５】実施例２の広角レンズの概略図である。
【図６】実施例２の広角レンズの軸上色収差図（ｍｍ）である。
【図７】実施例２の広角レンズの非点収差図（ｍｍ）である。
【図８】実施例２の広角レンズの倍率色収差図（μｍ）である。
【図９】実施例３の広角レンズの概略図である。
【図１０】実施例３の広角レンズの軸上色収差図（ｍｍ）である。
【図１１】実施例３の広角レンズの非点収差図（ｍｍ）である。
【図１２】実施例３の広角レンズの倍率色収差図（μｍ）である。
【図１３】実施例４の広角レンズの概略図である。
【図１４】実施例４の広角レンズの軸上色収差図（ｍｍ）である。
【図１５】実施例４の広角レンズの非点収差図（ｍｍ）である。
【図１６】実施例４の広角レンズの倍率色収差図（μｍ）である。
【図１７】実施例５の広角レンズの概略図である。
【図１８】実施例５の広角レンズの軸上色収差図（ｍｍ）である。
【図１９】実施例５の広角レンズの非点収差図（ｍｍ）である。
【図２０】実施例５の広角レンズの倍率色収差図（μｍ）である。
【図２１】実施例６の広角レンズの概略図である。
【図２２】実施例６の広角レンズの軸上色収差図（ｍｍ）である。
【図２３】実施例６の広角レンズの非点収差図（ｍｍ）である。
【図２４】実施例６の広角レンズの倍率色収差図（μｍ）である。
【図２５】実施例７の広角レンズの概略図である。
【図２６】実施例７の広角レンズの軸上色収差図（ｍｍ）である。
【図２７】実施例７の広角レンズの非点収差図（ｍｍ）である。
【図２８】実施例７の広角レンズの倍率色収差図（μｍ）である。
【図２９】実施例８の広角レンズの概略図である。
【図３０】実施例８の広角レンズの軸上色収差図（ｍｍ）である。
【図３１】実施例８の広角レンズの非点収差図（ｍｍ）である。
【図３２】実施例８の広角レンズの倍率色収差図（μｍ）である。
【図３３】実施例９の広角レンズの概略図である。
【図３４】実施例９の広角レンズの軸上色収差図（ｍｍ）である。
【図３５】実施例９の広角レンズの非点収差図（ｍｍ）である。
【図３６】実施例９の広角レンズの倍率色収差図（μｍ）である。
【図３７】実施例１０の広角レンズの概略図である。
【図３８】実施例１０の広角レンズの軸上色収差図（ｍｍ）である。
【図３９】実施例１０の広角レンズの非点収差図（ｍｍ）である。
【図４０】実施例１０の広角レンズの倍率色収差図（μｍ）である。
【図４１】実施例１１の広角レンズの概略図である。
【図４２】実施例１１の広角レンズの軸上色収差図（ｍｍ）である。
【図４３】実施例１１の広角レンズの非点収差図（ｍｍ）である。
【図４４】実施例１１の広角レンズの倍率色収差図（μｍ）である。
【図４５】実施例１２の広角レンズの概略図である。
【図４６】実施例１２の広角レンズの軸上色収差図（ｍｍ）である。
【図４７】実施例１２の広角レンズの非点収差図（ｍｍ）である。
【図４８】実施例１２の広角レンズの倍率色収差図（μｍ）である。
【発明を実施するための形態】
【００２２】
以下に、本発明の実施形態を詳細に説明する。前記実施形態の例が図面に示されるが、同一又は類似する符号は、常に、同一又は類似する部品、或いは、同一又は類似する機能を有する部品を表す。以下に、図面を参照しながら説明される実施形態は例示的なものであり、本発明を解釈するためだけに用いられ、本発明を限定するものと理解してはいけない。
【００２３】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」などの用語が示す方位又は位置関係は、図面に示す方位又は位置関係に基づき、本発明を便利に又は簡単に説明するために使用されるものであり、指定された装置又は部品が特定の方位にあり、特定の方位において構造され操作されると指示又は暗示するものではないので、本発明を限定するものと理解してはいけない。なお、「第１」、「第２」の用語は目的を説明するためだけに用いられるものであり、比較的な重要性を指示又は暗示するか、或いは示された技術的特徴の数を黙示的に指示すると理解してはいけない。よって、「第１」、「第２」が限定されている特徴は一つ又はより多くの前記特徴を含むことを明示又は暗示するものである。本発明の説明において、明確且つ具体的な限定がない限り、「複数」とは、二つ又は二つ以上のことを意味する。
【００２４】
なお、本発明の説明において、明確な規定と限定がない限り、「取り付け」、「互いに接続」、「接続」の用語の意味は広く理解されるべきである。例えば、固定接続や、着脱可能な接続や、或いは一体的な接続でも可能である。机械的な接続や、電気的な接続や、或いは互いに通信することも可能である。直接的に接続することや、中間媒体を介して間接的に接続することや、二つの部品の内部が連通することや、或いは二つの部品の間に相互の作用関係があることも可能である。当業者にとって、具体的な場合によって上記用語の本発明においての具体的な意味を理解することができる。
【００２５】
本発明において、明確な規定と限定がない限り、第１特徴が第２特徴の「上」又は「下」にあることは、第１特徴と第２特徴とが直接的に接触することを含んでも良いし、第１特徴と第２特徴とが直接的に接触することではなくそれらの間の別の特徴を介して接触することを含んでもよい。また、第１特徴が第２特徴の「上」、「上方」又は「上面」にあることは、第１特徴が第２特徴の真上及び斜め上にあることを含むか、或いは、単に第１特徴の水平高さが第２特徴より高いことだけを表す。第１特徴が第２特徴の「下」、「下方」又は「下面」にあることは、第１特徴が第２特徴の真上及び斜め上にあることを含むか、或いは、単に第１特徴の水平高さが第２特徴より低いことだけを表す。
【００２６】
以下の開示は、多くの異なる実施形態又は例を提供して本発明の異なる構造を実現する。本発明の開示を簡素化するため、以下に特定の例の部材及び配置について説明する。勿論、これらは例示的なものに過ぎず、本発明を限定することを意図していない。また、本発明は、異なる例において参考数字及び／又は参考アルファベットを重複することができる。このような重複は、簡素化及び明瞭化するためであり、その自体は検討される各種の実施形態及び／又は配置の間の関係を示すものではない。また、本発明は、さまざまな特定のプロセス及び材料の例を挙げているが、当業者は、他のプロセスの適用及び／又は他の材料の使用を意識することができる。
【００２７】
図１を参照すると、本発明の実施形態における広角レンズは、物体側から像側へ順次に、負の屈折力を有する第１レンズＥ１と、正の屈折力を有する第２レンズＥ２と、正の屈折力を有する第３レンズＥ３と、負の屈折力を有する第４レンズＥ４と、正の屈折力を有する第５レンズＥ５と、負の屈折力を有する第６レンズＥ６と、を含む。
【００２８】
第１レンズＥ１は、物体側の面Ｓ１及び像側の面Ｓ２を有し、且つ像側の面Ｓ２が凹面である。第２レンズＥ２は、物体側の面Ｓ３及び像側の面Ｓ４を有する。第３レンズＥ３は、物体側の面Ｓ５及び像側の面Ｓ６を有し、且つ物体側の面Ｓ５が凸面であり、像側の面Ｓ６が凸面である。第４レンズＥ４は、物体側の面Ｓ７及び像側の面Ｓ８を有する。第５レンズＥ５は、物体側の面Ｓ９及び像側の面Ｓ１０を有し、且つ像側の面Ｓ１０が凸面である。第６レンズＥ６は、物体側の面Ｓ１１及び像側の面Ｓ１２を有し、且つ像側の面Ｓ１２の軸に近い部分が凹面である。
【００２９】
一部の実施形態において、広角レンズは、第１レンズＥ１と第２レンズＥ２との間又は第２レンズＥ２と第３レンズＥ３との間に設置される絞りＳＴＯをさらに含む。
【００３０】
結像する際に、被写体ＯＢＪから発される又は反射される光線は、第１レンズＥ１から広角レンズに入り、物体側の面Ｓ１３及び像側の面Ｓ１４を有するフィルタＥ７を通過し、最終的には、結像面Ｓ１５に結像する。
【００３１】
一部の実施形態において、広角レンズは、
１．０≦ｆ２／ｆ≦２．０及び
０．５≦ｆ１／ｆ４≦１．５という条件式を満たし、
ただし、ｆ１は第１レンズＥ１の有効焦点距離であり、ｆ２は第２レンズＥ２の有効焦点距離であり、ｆ４は第４レンズＥ４の有効焦点距離であり、ｆは広角レンズの有効焦点距離である。
【００３２】
第２レンズＥ２の焦点距離が大きすぎると、広角レンズの像面湾曲を大きくし、収差の補正に不利であり、小さすぎると、広角レンズの画角の拡大に不利である。前記条件式の第１レンズＥ１と、第２レンズＥ２と、第４レンズＥ４との屈折力に対する合理的な分配を満たすことで、各収差を効果的に矯正し、結像品質を向上させることができると同時に、広角レンズが比較的小さいサイズを有するようにし、画角を拡大することができる。
【００３３】
一部の実施形態において、広角レンズは、
−１．６≦ｆ２／ｆ６＜−０．７という条件式を満たし、
ただし、ｆ２は第２レンズＥ２の有効焦点距離であり、ｆ６は第６レンズＥ６の有効焦点距離である。
【００３４】
この比の値の絶対値が大きすぎると、第６レンズＥ６の製造性がよよくないが、小さすぎると、第２レンズＥ２の製造性がよくない。前記条件式を満たすことで、第２レンズＥ２と第６レンズＥ６との製造性を効果的に均衡する。
【００３５】
一部の実施形態において、広角レンズは、
０．８＜Ｄｒ５ｒ８／ＣＴ５＜１．５という条件式を満たし、
ただし、Ｄｒ５ｒ８は第３レンズＥ３の物体側の面Ｓ５から第４レンズＥ４の像側の面Ｓ８までの軸上距離であり、ＣＴ５は第５レンズＥ５の中心の厚みである。
【００３６】
この比の値が大きすぎると、収差の矯正に不利であり、小さすぎると、製造性に不利であり、前記条件式を満たすことで、結像品質と製造性を効果的に両立させる。
【００３７】
一部の実施形態において、広角レンズは、
０．５＜ＤＴ１１／ＤＴ６２＜０．９という条件式を満たし、
ただし、ＤＴ１１は第１レンズＥ１の物体側の面Ｓ１の最大有効半径であり、ＤＴ６２は第６レンズＥ６の像側の面Ｓ１２の最大有効半径である。
【００３８】
この比の値が大きすぎると、組立のプロセスに不利であり、小さすぎると、軸外収差の矯正に不利であり、前記条件式を満たすことで、結像品質と組立のプロセスを効果的に両立させる。
【００３９】
一部の実施形態において、広角レンズは、
０＜ＣＴ６／ＣＴ５≦０．６という条件式を満たし、
ただし、ＣＴ５は第５レンズＥ５の中心の厚みであり、ＣＴ６は第６レンズＥ６の中心の厚みである。
【００４０】
第５レンズＥ５は、正の屈折力を有するレンズであり、その縁の厚みを確保する必要があり、第５レンズＥ５と第６レンズＥ６とが協力することにより、広画角化による別途な収差を効果的に解消することができる。前記条件式を満たすことで、レンズの小型化の実現に有利であり、第６レンズＥ６の製造性を確保する。
【００４１】
一部の実施形態において、広角レンズは、
−３＜ｆ４／ｆ＜−１という条件式を満たし、
ただし、ｆ４は第４レンズＥ４の有効焦点距離であり、ｆは広角レンズの有効焦点距離である。
【００４２】
前記条件式は、第４レンズＥ４の屈折力を合理的に分配することにより、第２レンズＥ２及び第３レンズＥ３によって生じた軸外収差を効果的に矯正し、色収差を効果的に矯正し、結像品質を向上させることができる。
【００４３】
一部の実施形態において、広角レンズは、
０．８≦ｆ５／ｆ＜１．５という条件式を満たし、
ただし、ｆ５は第５レンズＥ５の有効焦点距離であり、ｆは広角レンズの有効焦点距離である。
【００４４】
第５レンズＥ５の屈折力が大きすぎると、製造性がよくないが、小さすぎると、外部視野の収差を効果的に矯正することができず、前記条件式を満たすことで、結像品質と製造性を効果的に均衡することができる。
【００４５】
一部の実施形態において、広角レンズは、
０＜（Ｒ５＋Ｒ６）／（Ｒ５−Ｒ６）＜１という条件式を満たし、
ただし、Ｒ５は第３レンズＥ３の物体側の面Ｓ５の曲率半径であり、Ｒ６は第３レンズＥ３の像側の面Ｓ６の曲率半径である。
【００４６】
前記条件式は、第３レンズＥ３の物体側の面Ｓ５及び像側の面Ｓ６の曲率を合理的に調整することにより、屈折力がより合理的に分配され、広角レンズの組立の感度が低下する。
【００４７】
一部の実施形態において、広角レンズは、
ＴＴＬ／ＩｍｇＨ＜２．４という条件式を満たし、
ただし、ＴＴＬは第１レンズＥ１の物体側の面Ｓ１から結像面Ｓ１５までの軸上距離であり、ＩｍｇＨは、最大像高である。
【００４８】
前記条件式を満たすことで、広角レンズの体積の減少に有利であり、広角レンズの小型化を実現する。
【００４９】
一部の実施形態において、第２レンズＥ２の像側の面Ｓ４は凸面であり、広角レンズは、
０＜Ｔ２３／ＣＴ２＜０．１という条件式を満たし、
ただし、ＣＴ２は第２レンズＥ２の中心の厚みであり、Ｔ２３は第２レンズＥ２と第３レンズＥ３との間の軸上距離である。
【００５０】
この比の値が大きすぎると、レンズを薄くすることは容易ではないが、小さすぎると、第２レンズＥ２の製造性がよくない。前記条件式を満たすことで、広角レンズの小型化と製造性を効果的に両立させた。
【００５１】
一部の実施形態において、第６レンズＥ６の物体側の面Ｓ１１は凹面であり、広角レンズは、
−０．８＜ＳＡＧ６１／ＤＴ６１＜−０．４という条件式を満たし、
ただし、ＳＡＧ６１は第６レンズＥ６の物体側の面Ｓ１１のサジタルハイトであり、ＤＴ６１は第６レンズＥ６の物体側の面Ｓ１１の最大有効半径である。
【００５２】
この比の値の絶対値が大きすぎると、製造性がよくないが、小さすぎると、軸外収差の矯正に不利であり、前記条件式を満たすことで、広角レンズの製造性と全体の結像品質を効果的に両立させた。
【００５３】
一部の実施形態において、第２レンズＥ２の像側の面Ｓ４は凹面であり、広角レンズは、
０．５＜Ｒ３／Ｒ４＜１．０という条件式を満たし、
ただし、Ｒ３は第２レンズＥ２の物体側の面Ｓ３の曲率半径であり、Ｒ４は第２レンズＥ２の像側の面の曲率半径である。
【００５４】
この比の値が大きすぎると、歪みの矯正に不利であり、小さすぎると、製造性がよくない。前記条件式を満たすことで、歪みと広角レンズの製造性を効果的に両立させた。
【００５５】
一部の実施形態において、広角レンズは、
−０．５＜（Ｒ１０＋Ｒ１１）／（Ｒ１０−Ｒ１１）＜０という条件式を満たし、
ただし、Ｒ１０は第５レンズＥ５の像側の面Ｓ１０の曲率半径であり、Ｒ１１は第６レンズＥ６の物体側の面Ｓ１１の曲率半径である。
【００５６】
前記条件式は、第５レンズＥ５の像側の面Ｓ１０と第６レンズＥ６の物体側の面Ｓ１１との曲率を合理的に調整することにより、屈折力がより合理的に分配され、広角レンズの組立の感度が低下する。
【００５７】
一部の実施形態において、第１レンズＥ１と、第２レンＥ２と、第３レンズＥ３と、第４レンズＥ４と、第５レンズＥ５と、第６レンズＥ６とは、いずれも非球面レンズである。非球面の面形状は、次の式によって決定される。
【００５８】
【数１】
0006568597.tif 000002
【００５９】
ただし、ｈは非球面上の任意の点から光軸までの高さであり、ｃは頂点曲率であり、ｋは円錐定数であり、Ａｉは非球面の第ｉ−ｔｈ階の補正係数である。
【００６０】
実施例１
図１〜４を参照すると、実施例１において、広角レンズは以下の表の条件を満たす。
【００６１】
【表１】
0006568597.tif 000003
【００６２】
【表２】
0006568597.tif 000004
【００６３】
【表３】
0006568597.tif 000005
【００６４】
実施例２
図５〜８を参照すると、実施例２において、広角レンズは以下の表の条件を満たす。
【００６５】
【表４】
0006568597.tif 000006
【００６６】
【表５】
0006568597.tif 000007
【００６７】
【表６】
0006568597.tif 000008
【００６８】
実施例３
図９〜１２を参照すると、実施例３において、広角レンズは以下の表の条件を満たす。
【００６９】
【表７】
0006568597.tif 000009
【００７０】
【表８】
0006568597.tif 000010
【００７１】
【表９】
0006568597.tif 000011
【００７２】
実施例４
図１３〜１６を参照すると、実施例４において、広角レンズは以下の表の条件を満たす。
【００７３】
【表１０】
0006568597.tif 000012
【００７４】
【表１１】
0006568597.tif 000013
【００７５】
【表１２】
0006568597.tif 000014
【００７６】
実施例５
図１７〜２０を参照すると、実施例５において、広角レンズは以下の表の条件を満たす。
【００７７】
【表１３】
0006568597.tif 000015
【００７８】
【表１４】
0006568597.tif 000016
【００７９】
【表１５】
0006568597.tif 000017
【００８０】
実施例６
図２１〜２４を参照すると、実施例６において、広角レンズは以下の表の条件を満たす。
【００８１】
【表１６】
0006568597.tif 000018
【００８２】
【表１７】
0006568597.tif 000019
【００８３】
【表１８】
0006568597.tif 000020
【００８４】
実施例７
図２５〜２８を参照すると、実施例７において、広角レンズは以下の表の条件を満たす。
【００８５】
【表１９】
0006568597.tif 000021
【００８６】
【表２０】
0006568597.tif 000022
【００８７】
【表２１】
0006568597.tif 000023
【００８８】
実施例８
図２９〜３２を参照すると、実施例８において、広角レンズは以下の表の条件を満たす。
【００８９】
【表２２】
0006568597.tif 000024
【００９０】
【表２３】
0006568597.tif 000025
【００９１】
【表２４】
0006568597.tif 000026
【００９２】
実施例９
図３３〜３６を参照すると、実施例９において、広角レンズは以下の表の条件を満たす。
【００９３】
【表２５】
0006568597.tif 000027
【００９４】
【表２６】
0006568597.tif 000028
【００９５】
【表２７】
0006568597.tif 000029
【００９６】
実施例１０
図３７〜４０を参照すると、実施例１０において、広角レンズは以下の表の条件を満たす。
【００９７】
【表２８】
0006568597.tif 000030
【００９８】
【表２９】
0006568597.tif 000031
【００９９】
【表３０】
0006568597.tif 000032
【０１００】
実施例１１
図４１〜４４を参照すると、実施例１１において、広角レンズは以下の表の条件を満たす。
【０１０１】
【表３１】
0006568597.tif 000033
【０１０２】
【表３２】
0006568597.tif 000034
【０１０３】
【表３３】
0006568597.tif 000035
【０１０４】
実施例１２
図４５〜４８を参照すると、実施例１２において、広角レンズは以下の表の条件を満たす。
【０１０５】
【表３４】
0006568597.tif 000036
【０１０６】
【表３５】
0006568597.tif 000037
【０１０７】
【表３６】
0006568597.tif 000038
【０１０８】
実施例１〜１２において、各条件式は以下の表の条件を満たす。
【０１０９】
【表３７】
0006568597.tif 000039
【０１１０】
上記の表及び図１〜４８に示すように、本発明の実施形態における広角レンズの各レンズの屈折力が合理的に分配され、各レンズ表面の曲率が調整され、各レンズの中心の厚みが確保され、よって、本発明の実施形態における広角レンズは、超広角であり、解像度が高く、サイズが小さいという利点を有し、それに、組立のプロセスを向上させ、低コストを実現することができる。
【０１１１】
本発明の説明において、「一つの実施例」、「一部の実施例」、「例示的な実施形態」、「例」、「具体的な例」、或いは「一部の例」などの用語を参考した説明とは、前記実施形態或いは例に合わせて説明された具体的な特徴、構成、材料或いは特徴が、本発明の少なくとも一つの実施形態或いは例に含まれることである。本明細書において、上記用語に対する例示的な説明は、必ずしも同じ実施例或いは例を指すことではない。また、説明された具体的な特徴、構成、材料或いは特徴は、いずれか一つ或いは複数の実施形態又は例において適切に結合することができる。
【０１１２】
以上に本発明の実施形態を示して説明したが、当業者は、本発明の原理及び主旨を逸脱しない場合に、これらの実施形態に対して複数種類の変化、修正、取り替え及び変形を行うことができ、本発明の範囲は請求項及びその等価物によって限定される。
【図１】
0006568597.tif 000040
【図２】
0006568597.tif 000041
【図３】
0006568597.tif 000042
【図４】
0006568597.tif 000043
【図５】
0006568597.tif 000044
【図６】
0006568597.tif 000045
【図７】
0006568597.tif 000046
【図８】
0006568597.tif 000047
【図９】
0006568597.tif 000048
【図１０】
0006568597.tif 000049
【図１１】
0006568597.tif 000050
【図１２】
0006568597.tif 000051
【図１３】
0006568597.tif 000052
【図１４】
0006568597.tif 000053
【図１５】
0006568597.tif 000054
【図１６】
0006568597.tif 000055
【図１７】
0006568597.tif 000056
【図１８】
0006568597.tif 000057
【図１９】
0006568597.tif 000058
【図２０】
0006568597.tif 000059
【図２１】
0006568597.tif 000060
【図２２】
0006568597.tif 000061
【図２３】
0006568597.tif 000062
【図２４】
0006568597.tif 000063
【図２５】
0006568597.tif 000064
【図２６】
0006568597.tif 000065
【図２７】
0006568597.tif 000066
【図２８】
0006568597.tif 000067
【図２９】
0006568597.tif 000068
【図３０】
0006568597.tif 000069
【図３１】
0006568597.tif 000070
【図３２】
0006568597.tif 000071
【図３３】
0006568597.tif 000072
【図３４】
0006568597.tif 000073
【図３５】
0006568597.tif 000074
【図３６】
0006568597.tif 000075
【図３７】
0006568597.tif 000076
【図３８】
0006568597.tif 000077
【図３９】
0006568597.tif 000078
【図４０】
0006568597.tif 000079
【図４１】
0006568597.tif 000080
【図４２】
0006568597.tif 000081
【図４３】
0006568597.tif 000082
【図４４】
0006568597.tif 000083
【図４５】
0006568597.tif 000084
【図４６】
0006568597.tif 000085
【図４７】
0006568597.tif 000086
【図４８】
0006568597.tif 000087